(57)【要約】【課題】録画した番組をユーザーの視聴可能時間と関連させて再生する電子機器及び番組再生方法を提供する。【解決手段】実施形態の電子機器は、嗜好受付手段と、取得手段と、再生手段と、を具備する。嗜好受付手段は、対象の番組を再生しようとするユーザーの嗜好を受けつける。取得手段は、前記嗜好受付手段が受けつけた前記嗜好に基づいて前記対象の番組に対する再生制御情報を取得する。再生手段は、前記取得手段が取得した前記再生制御情報に基づいて前記対象の番組を再生する。【選択図】図１
2015126325.tif 000002
【特許請求の範囲】
【請求項１】
対象の番組を再生しようとするユーザーの嗜好を受けつける嗜好受付手段と、
前記嗜好受付手段が受けつけた前記嗜好に基づいて前記対象の番組に対する再生制御情報を取得する取得手段と、
前記取得手段が取得した前記再生制御情報に基づいて前記対象の番組を再生する再生手段と、
を具備する電子機器。
【請求項２】
前記嗜好受付手段は、前記対象の番組を再生しようとするユーザーが指示する視聴可能時間を受けつける請求項１の電子機器。
【請求項３】
前記嗜好受付手段は、前記対象の番組を再生しようとするユーザーが前記対象の番組をどの程度の時間視聴できるか、を示す情報を受けつける請求項１の電子機器。
【請求項４】
前記再生手段は、前記取得手段に外部から供給される前記再生制御情報に基づいて前記対象の番組を再生する請求項１−３のいずれかの電子機器。
【請求項５】
前記再生制御情報は、前記対象の番組を再生した他のユーザーの通常再生の指示により通常再生された区間の情報を含む請求項１−４の電子機器。
【請求項６】
第一の電子機器から前記第一の電子機器が再生する番組に対する再生制御情報の取得の要求を受けつける受付手段と、
前記受付手段が受けつけた前記第一の電子機器が再生する前記番組を、前記第一の電子機器と異なる第二の電子機器において再生した再生時の制御情報を取得する再生時制御情報取得手段と、
前記再生時制御情報取得手段が取得した前記第一の電子機器に供給すべき前記番組を他の電子機器において再生した前記再生時の制御情報を、前記受付手段が受けつけた前記第一の電子機器が要求する前記再生制御情報の範囲に基づいて、抽出する抽出手段と、
を具備する電子機器。
【請求項７】
前記抽出手段は、前記受付手段が受けつけた前記第一の電子機器が再生する前記番組の再生時間を短縮するために、前記番組を他の電子機器において通常再生の指示により通常再生した区間の情報を抽出する請求項６の電子機器。
【請求項８】
前記抽出手段は、前記受付手段が受けつけた前記第一の電子機器が前記番組をどの程度の時間再生できるか、を示す情報に基づいて前記番組を他の電子機器において通常再生の指示により通常再生した区間の情報を抽出する請求項６の電子機器。
【請求項９】
対象の番組を再生しようとするユーザーの嗜好を受けつけ、
受けつけた嗜好に基づいて、対象の番組に対する再生制御情報を取得し、
取得した再生制御情報に基づいて対象の番組を再生する
番組再生方法。
【発明の詳細な説明】
【技術分野】
【０００１】
この発明は、電子機器及び番組再生方法に関する。
【背景技術】
【０００２】
電子機器、例えばモニタ装置を接続して録画した映像を再生する映像再生装置や、映像の録画が可能なテレビジョン受信再生装置が普及している。
【先行技術文献】
【特許文献】
【０００３】
【特許文献１】特開２００９−４９９４号公報
【発明の概要】
【発明が解決しようとする課題】
【０００４】
映像再生装置や、録画が可能なテレビジョン受信再生装置においては、録画可能容量の増大等もあり、多くの番組を録画できる。
【０００５】
しかしながら、録画した番組の全てを再生（視聴）することが困難である場合も少なくない。なお、ユーザーの嗜好に基づいて、短縮（ダイジェスト）再生を提示する再生装置が報告されているが、嗜好情報の入力や、対象の番組からの文字情報の取得等、必ずしも操作が容易であるとはいえない。
【０００６】
この発明の目的は、録画した番組をユーザーの視聴可能時間と関連させて再生する電子機器及び番組再生方法を提供することである。
【課題を解決するための手段】
【０００７】
実施形態の電子機器は、嗜好受付手段と、取得手段と、再生手段と、を具備する。嗜好受付手段は、対象の番組を再生しようとするユーザーの嗜好を受けつける。取得手段は、前記嗜好受付手段が受けつけた前記嗜好に基づいて前記対象の番組に対する再生制御情報を取得する。再生手段は、前記取得手段が取得した前記再生制御情報に基づいて前記対象の番組を再生する。
【図面の簡単な説明】
【０００８】
【図１】実施形態に係る映像再生装置（映像再生方法提示システム）の一例を示す。
【図２Ａ】実施形態において収集する再生制御情報の一例を示す。
【図２Ｂ】実施形態において収集する再生制御情報の一例を示す。
【図３】実施形態に係る映像表示装置の再生指示の方法（番組再生方法）の一例を示す。
【図４】実施形態に係る映像表示装置の再生指示の方法（番組再生方法）の一例を示す。
【図５Ａ】実施形態に係る映像表示装置の設定画面の画面表示例の一例を示す。
【図５Ｂ】実施形態に係る映像表示装置の設定画面の画面表示例の一例を示す。
【図６】実施形態に係る映像表示装置の設定画面の画面表示例の一例を示す。
【図７】実施形態に係る映像表示装置の設定画面の画面表示例の一例を示す。
【図８】実施形態に係る映像再生方法提示システム（映像表示装置）のサービスサーバーの要素の一例を示す。
【図９】実施形態に係る映像表示装置（ユーザー）の要素の一例を示す。
【発明を実施するための形態】
【０００９】
以下、図面を参照して、本発明の実施の一形態について説明する。
【００１０】
図１は、実施形態に係わる映像再生装置（映像再生方法提示システム）の一例を示す。なお、以下に説明する要素や構成は、マイクロコンピュータ（処理装置、ＣＰＵ（Central Processing Unit））によりソフトウェアで実現するものであってもよいし、ハードウェアで実現するものであってもよい。また、表示するコンテンツの取得の方法としては、空間波（電波）の利用、ケーブル（光ファイバを含む）やインターネット・プロトコル（Internet Protocol）通信網等のネットワークの利用、ネットワークからのストリーミング映像の信号処理や、ネットワーク機能を使用する映像転送技術等、任意である。なお、コンテンツは、ストリームや番組もしくは情報と称する場合もあり映像及び音声あるいは音楽等を含む。また、映像は、動画と静止画あるいはテキスト（コード化された符号列で示される文字や記号等で表される情報）、ならびにその任意の組み合わせを含む。
【００１１】
図１が示す映像再生方法提示システムは、インターネット（ネットワーク）１と接続する第一の電子機器、例えば放送信号や外部から入力する映像コンテンツを再生するテレビジョン受信再生装置（以下、テレビ装置またはユーザーと称する）１０１、ネットワーク（インターネット）１と接続する第二の電子機器、例えば映像コンテンツ（番組）の供給元（チャンネル名／媒体名）や放送時間（開始時間及び終了時間）、番組と関連する情報を保持するクラウドサーバー（サービスサーバー）１１を含む。なお、サービスサーバー１１は、例えばテレビ装置１０１が保持する（テレビ装置１０１に一体的に設けられる）ものであってもよい。
【００１２】
ネットワーク（インターネット）１には、任意数の他のユーザー（任意数の他のテレビ装置）２０１，３０１，・・・，Ｎ０１（Ｎは正の整数あるいは任意の識別記号、等）が接続可能である。
【００１３】
サービスサーバー１１は、他のユーザー２０１，３０１，・・・，Ｎ０１における番組の再生（視聴）時の再生制御情報、例えば    
通常再生：［Ｐ］    
その位置（番組中の番組の先頭からの時間）からの再生    
早送り  ：［Ｆ］    
（ｍ倍速、ｍは自然数）再生（Fast Forward キーの操作））    
固定時間ジャンプ  ：［Ｊ］    ＜進み方向・戻り方向・回数＞    
（ジャンプキーの操作による固定時間長（区間）のジャンプ    
チャプタースキップ：［Ｃ］    ＜進み方向・戻り方向・回数＞    
（チャプター区切りが設けられている場合のチャプタースキップ操作）    
の履歴（操作回数、操作の組み合わせ、部分的な繰り返し再生（ＲＥＷ（Backward）キーの操作と再生（Play）キーの操作の組み合わせ））等の、ユーザー操作の情報（再生制御情報）ａｂｃを時間帯毎に取得し、保持する。
【００１４】
再生制御情報ａｂｃにおいて、例えば多くのユーザーが通常再生したシーン（番組中の所定の区間）は、重要度（時間が許す限り視聴すべきシーン）が高い、と判断できる。
【００１５】
例えば、スポーツ関連の番組の再生時においては、得点があった、得点に関連する動作（攻撃もしくは阻止）があった、勝者が決まった、等のシーンである、と推定できる。
【００１６】
例えば、音楽関連の番組の再生時においては、出演者の演奏開始／歌唱の冒頭のシーン等は、出演者の登場のシーンに比較して、通常再生される場合が多い、と推定できる。特に、チャプタースキップ（複数回の操作を含む）や固定時間ジャンプ（複数回の操作を含む）操作に続くＲＥＷ（Backward）キーの操作と再生（Play）キーの操作の組み合わせは、特定のシーンの再生のための「頭だし」操作である、と推定できる。
【００１７】
反面、チャプタースキップ（複数回の操作を含む）や固定時間ジャンプ（複数回の操作を含む）操作のみである場合、そのシーン（時間帯）の重要度は比較的低い、と判断することが妥当である。また、停止（Stop）キーが操作された（停止が指示された）以降のシーン（時間帯）は、視聴されなかった可能性が高い、と推定できる（：［Ｓ］）。
【００１８】
すなわち、再生制御情報は、（これから番組を再生しようとしている）ユーザーの嗜好の予測ではなく、ネットワークに接続している他のユーザーの過去の嗜好（再生制御）の情報を利用して、早見再生／ダイジェスト再生を実現できる。
【００１９】
図２Ａ及び図２Ｂは、上述の再生制御情報の収集例の一例を、模式的に示す。
【００２０】
図２Ａ及び図２Ｂが示す、ある１つの番組（Program）は、開始時刻を０分００秒とし、右方向へ時間（ｔ）の長さを有する。
【００２１】
開始時刻からある区間は、オープニング映像であり、ＣＭが続き、本編１（Talk）が開始され、歌手Ａさんの歌唱（Song）に至る。
【００２２】
歌唱に続いてＣＭが入り、本編２（Talk）、歌手Ａさんの２回目の歌唱（Song）と、続く。
【００２３】
再び、ＣＭが入り、本編３（Talk）に続くＣＭの後、歌手Ｂさんの歌唱（Song）となる。
【００２４】
歌手Ｂさんの歌唱（Song）の後、本編４（Talk）とＣＭに続く次回予告（Coming soon）が入り、番組はエンディングとなる。
【００２５】
図２Ａにおいて、    
通常再生をＰ、    
早送りをｍＦ、    
ｍ＝整数（一度オンする毎に２倍、３倍、・・・、と増速する）、    
後退（戻り）をｍＲ（ＲＥＷ）、    
ｍ＝整数（一度オンする毎に２倍、３倍、・・・、と増速する）、    
固定時間ジャンプをＪ＜戻り方向（←）／進み方向（→）＞    
１回数オンする毎に固定長、例えば１５秒分移動、    
チャプタースキップをＣ＜戻り方向（←）／進み方向（→）＞    
１回数オンする毎に次のチャプターまで移動、    
停止をＳ、    
として示す。
【００２６】
また、一時停止（ポーズ）についても、視聴の度合いは、高い、と予測できる。
【００２７】
なお、Ｐ（通常再生）については、Ｃ（チャプタースキップ）やＪ（固定長ジャンプ）の操作の後の次の指示がない場合、そのままＰ（通常再生）に移行するため、通常再生が指示された状態としてｐで示す。
【００２８】
また、通常再生される区間（シーン）の長さ（時間）を［Ｐ］で示す。すなわち、通常再生される区間（シーン）は、Ｐ（通常再生）またはｐの指示（操作入力）を開始時間とし、Ｐ（通常再生）とは異なる指示（ジャンプ（Ｊ）、スキップ（Ｃ）、停止（Ｓ）等）の指示入力があるまでの長さ（時間）が通常再生される区間（シーン）となる。
【００２９】
図２Ｂから、Ｐ、ｐ、［Ｐ］欄において、［Ｐ］が重なる区間（シーン）ほど、重要度が高い（多くのユーザーが視聴したシーン）、と推定できる。また、その区間（シーン）の開始時間（区間の先頭位置）は、Ｐ及びｐの出現の程度（再生指示があった度合い）が多いほど、多くのユーザーが映像の再生（視聴開始）を指示した位置（時間）である、と、推定できる。従って、図２Ｂにおいて、再生区間（［Ｐ］）の重なりの度合い（程度）が高い、区間［１］すなわち歌手Ａさんの最初の歌唱、［２］すなわち歌手Ａさんの２回目の歌唱及び［３］すなわち歌手Ｂさんの歌唱については、以下に説明する「早見再生」／「ダイジェスト再生」すなわち録画した番組を再生する再生指示の方法（番組再生方法）において、特別な理由がある場合を除いて必ず再生する最需要度区間とする。
【００３０】
なお、図２Ａ及び図２Ｂに示した通常再生区間に対して、多くのユーザーが、スキップやジャンプ、あるいは早送りしたシーン、及びその度合いから多くのユーザーが、その区間（シーン）を視聴しないで「スキップ再生」する、と推測される区間（シーン）、例えば「ＣＭ」、「スポーツ中継の休憩時間」、「歌番組の歌われていないシーン」等については、自動的にスキップするように設定することも可能である。
【００３１】
図３は、図２Ａ及び図２Ｂに示した他のユーザーの再生制御情報（再生履歴）を用いる番組再生方法（録画した番組を再生する再生指示の方法）についてソフトウェア的に示す。なお、以下では、一例ではあるが「早見再生」と称する。
【００３２】
操作入力部あるいはリモートコントローラ（リモコン端末）に、専用キーが用意されている場合にはそのキーの操作により、専用のキーが用意されていない場合には、リモコン端末によるメニュー画面の起動（表示）と表示したメニュー画面からの選択指示入力（ソフトウェアによる対応）等のさまざまな方法により、容易に実現できる。
【００３３】
「早見再生」が選択された場合（「早見再生」の開始を指示する操作があった場合）、サービスサーバーから、対象となる番組の重要度（情報）を取得する［１１］。
【００３４】
以下、ユーザーの希望する重要度と取得した重要度とを比較し、ユーザーの希望する重要度の度合いに基づいて、ある区間（シーン）をスキップするか否か、を設定する。ユーザーの希望する重要度の一つは、例えば再生時間長であり、重要度が最も高い場合、例えば１時間（６０分）の番組を１５分で視聴したいという重要度の要求である場合［１２−ＹＥＳ］は、図２Ａ及び図２Ｂに示した例では、実質的に重要度が最も高いと推測できる区間［１］、［２］及び［３］を、順に再生すればよい［１３］。従って、重要度が最も高い場合には、図２Ａ及び図２Ｂに示した例では、区間［１］、［２］及び［３］を除いた区間（シーン）は、スキップする［１４］。
【００３５】
なお、ユーザーの希望する重要度の一つが再生時間長であることにより、例えば図４に示すように、ユーザーが希望する再生時間長を予め求め、ユーザーが希望する再生時間長を実現できる「ダイジェスト再生」として、ユーザーに（ユーザーが）視聴可能な時間長の入力（設定）を求めてもよい。
【００３６】
「ダイジェスト再生」が選択された場合（「ダイジェスト再生」の開始を指示する操作があった場合）、サービスサーバーから対象となる番組の重要度（再生制御情報）を取得する［２１］。
【００３７】
例えば１時間（６０分）の番組を３０分で視聴したい場合に適用する「倍速ダイジェスト再生」の選択［２２−ＹＥＳ］、あるいは２０分で視聴したい場合に適用する「３倍速ダイジェスト再生」の選択［２３−ＹＥＳ］、もしくは１５分で視聴したい場合に適用する「４倍速ダイジェスト再生」の選択［２４−ＹＥＳ］、のような選択結果（操作入力）に基づいて、再生するシーン（区間）を設定する［２５］。
【００３８】
従って、重要度が比較的高くないシーンは、それぞれの選択に従う重要度に基づいて、スキップ再生し、図４の例では、通常速度で再生する［２６］。
【００３９】
例えば、ユーザーの希望する重要度が６０分の番組を１５分で視聴可能とする「４倍速ダイジェスト再生」である場合［２４−ＹＥＳ］には、図２Ａ及び図２Ｂに示した例では、実質的に重要度が最も高いと推測できる区間［１］、［２］及び［３］を再生すればよい。
【００４０】
例えば、ユーザーの希望する重要度が６０分の番組を２０分で視聴可能とする「３倍速ダイジェスト再生」である場合［２３−ＹＥＳ］には、図２Ａ及び図２Ｂに示した例では、実質的に重要度が高いと推測できる区間［１］、［２］、［３］及び［４］すなわち歌手Ａさんの２回目の歌唱と歌手Ｂさんの歌唱との間の本編３（Talk）を再生する。
【００４１】
なお、ユーザーの視聴可能な時間長の入力（設定）には、例えば図５Ａ、図５Ｂ及び図６に一例を示すように、ＧＵＩ（Graphical User Interface）画面により、容易に設定できる。
【００４２】
図５Ａが示す表示画面７０１において、例えばリモコン端末の操作によりメニュー画面（メニューバー）の表示を指示すると、図５Ｂが示すメニューバー表示７１１を表示する。メニューバー表示７１１において、例えば「早見再生」バー表示７２１にカーソルを移動し、あるいは表示色を反転させて視聴予約を選択すると、図６が示す「早見再生」設定画面表示７３１を表示する。
【００４３】
図６が示す「早見再生」設定画面表示７３１は、例えば「早見再生」について、「利用する［ＹＥＳ］」／「利用しない［ＮＯ］」を切り換えるチェックボックス形式の設定入力部表示７３２、設定入力部表示７３２において「早見再生を利用する」を選択した場合に、重要度をどの程度（度合い）に設定するか、例えば「高（４倍程度）」、「中（３倍程度）」、「低（２倍程度）」のいずれかを選択可能に、設定部表示（入力画面）７３３、等を、表示する。すなわち、ユーザーの余裕時間に従い、「早見再生」を適用する番組に対する重要度の抽出率を、ユーザーが設定することができる。すなわち、抽出率に従って、どのくらいの重要度のシーンまで再生するか、を設定できる。
【００４４】
設定部表示７３３は、例えばラジオボタン（複数のチェック領域またはチェックボックスにおいて、いずれか１つのみ選択入力が可能）形式の選択入力部であり、最後に選択したチェックボックス（チェック領域）が規定する設定を設定入力として受け付け、例えば不揮発性メモリ等の記憶装置による記憶を、設定する。
【００４５】
なお、重要度は、「早見再生」の対象とする番組（コンテンツ）のジャンルや種別毎に独立して設定できることが好ましい。もちろん、「早見再生」の対象とするの番組のジャンルや種別毎に重要度を独立して設定可能に指示できる入力画面であれば、表示形式や選択入力の方法は任意である。また、重要度は、ユーザーの年齢・性別・嗜好、等の属性に基づいて、さまざまな条件で収集することができ、「早見再生」を希望するユーザーの属性に合わせて抽出方法を変更することができる。
【００４６】
同様に、ユーザーの視聴可能な時間長の入力（設定）については、より具体的に、６０分（１時間）の番組について、どの程度の時間長（シーン）で視聴しようとしているか、を、ユーザーによる入力（設定）により特定することにより、よユーザーの希望する視聴時間の範囲内で、対象の番組を再生できる。例えば図５Ｂが示すメニューバー表示７１１において、例えば「ダイジェスト再生」バー表示７４１にカーソルを移動し、あるいは表示色を反転させて視聴予約を選択すると、図７が示す「ダイジェスト再生」設定画面表示７５１を表示する。
【００４７】
図７が示す「ダイジェスト再生」設定画面表示７５１は、例えば「ダイジェスト再生」について、「利用する［ＹＥＳ］」／「利用しない［ＮＯ］」を切り換えるチェックボックス形式の設定入力部表示７５２、設定入力部表示７５２において「ダイジェスト再生を利用する」を選択した場合に、再生時間（倍速度）をどの程度に設定するか、例えば「４倍速」、「３倍速」、「倍速」のいずれかを選択可能に、設定部表示（入力画面）７５３を、表示する。すなわち、ユーザーの余裕時間に従い、「ダイジェスト再生」を適用する番組に対する再生時間（倍速度）に対応した再生制御情報の抽出率を、ユーザーが設定することができる。すなわち、抽出率（ユーザが希望する倍速度（再生時間））に従って、どのくらいの重要度のシーンまで再生するか、を設定できる。
【００４８】
設定部表示７５３は、例えばラジオボタン（複数のチェック領域またはチェックボックスにおいて、いずれか１つのみ選択入力が可能）形式の選択入力部であり、最後に選択したチェックボックス（チェック領域）が規定する設定を設定入力として受け付け、例えば不揮発性メモリ等の記憶装置による記憶を、設定する。
【００４９】
なお、倍速度は、「ダイジェスト再生」の対象とする番組（コンテンツ）のジャンルや種別毎に独立して設定できることが好ましい。もちろん、「ダイジェスト再生」の対象とする番組のジャンルや種別毎に倍速度を独立して設定可能に指示できる入力画面であれば、表示形式や選択入力の方法は任意である。また、倍速度は、ユーザーの年齢・性別・嗜好、等の属性に基づいて、さまざまな条件で収集することができ、「ダイジェスト再生」を希望するユーザーの属性に合わせて抽出方法を変更することができる。
【００５０】
なお、サービスサーバー（クラウドサーバー）１１は、一定数のユーザーから再生制御情報が収集した時点で、「早見再生」／「ダイジェスト再生」に用いる情報（図２Ａ及び図２Ｂに示した例における再生区間を特定するための情報）の生成が可能であると判断する。
【００５１】
また、一定数のユーザーから再生制御情報を収集した時点以降に、再生を開始しようとしているユーザーに、「早見再生」／「ダイジェスト再生」が利用可能となったことを、サービスサーバー（クラウドサーバー）１１が通知するものとする。
【００５２】
従い、ユーザーが「早見再生」／「ダイジェスト再生」の利用を希望した（図６または図７に示した設定画面において、「利用する」ことが設定されている）場合に、サービスサーバー（クラウドサーバー）１１が、上述の「早見再生」／「ダイジェスト再生」に用いる情報をユーザーに送付する。
【００５３】
図８は、サーバー（クラウドサーバー）の要素の一例を示す。
【００５４】
サーバー１１は、ＣＰＵ１１１、ノースブリッジ１１２、主メモリ１１３、サウスブリッジ１１４、ＢＩＯＳ−ＲＯＭ１１５、記録部１２１、エンベデッドコントローラ／キーボードコントローラＩＣ（ＥＣ／ＫＢＣ）１１８、ネットワークコントローラ１１９。等を備える。
【００５５】
ＣＰＵ１１１は、サーバー１１の動作を制御するメインプロセッサである。
【００５６】
ＣＰＵ１１１は、記録部１２１から主メモリ１１３にロードされる、オペレーティングシステム、各種アプリケーションプログラムおよびユーティリティプログラムを実行する。
【００５７】
ノースブリッジ１１２は、ＣＰＵ１１１のローカルバスとサウスブリッジ１１４との間を接続する。また、ノースブリッジ１１２には、主メモリ１１３を制御するメモリコントローラも内蔵されている。
【００５８】
サウスブリッジ１１４は、例えばＰＣＩ（peripheral component interconnect）バスやＬＰＣ（low pin count）バスに接続された各種Ｉ／Ｏデバイスを制御するためのＩ／Ｏコントローラとして機能する。サウスブリッジ１１４は、記録部１２１を制御するＩＤＥ（Integrated Drive Electronics）を含む。ＢＩＯＳ−ＲＯＭ１１５も、サウスブリッジ１１４によってアクセスが制御される。ＢＩＯＳ−ＲＯＭ１１５は、例えばシステムＢＩＯＳを電気的に書き換え可能に格納するフラッシュＲＯＭである。
【００５９】
ＥＣ／ＫＢＣ１１８は、電源管理のためのエンベデッドコントローラと、キーボード（ＫＢ）１２３およびマウス１２４などを制御するキーボードコントローラとが集積された１チップマイクロコンピュータである。ネットワークコントローラ１１９は、ネットワーク（インターネット）１を介した他のユーザーとの間のデータ通信（情報の受け渡し及び制御信号の送受信）を制御する。
【００６０】
上述の「早見再生」／「ダイジェスト再生」に用いる情報は、記録部１２１に、順次、記録される。また、ＣＰＵ１１１の制御に基づく所定のタイミングすなわち一定数のユーザーから再生制御情報を収集した時点以降に、再生を開始しようとしているユーザーに、「早見再生」／「ダイジェスト再生」が利用可能となったことを、通知する。
【００６１】
図９は、ユーザー（映像表示装置）１０１の要素の一例を示す。
【００６２】
ユーザー（映像表示装置）１０１は、入力部（チューナ）１０１１、分離部１０１２、映像処理ブロック１０２１及び音声処理ブロック１０３１、等を含む。
【００６３】
入力部１０１１が取得したコンテンツ、またはＳＴＢ（Set Top Box）等からの外部入力信号は、分離部１０１２により、ＴＳ（Transport Stream，トランスポートストリーム）すなわち映像データ（ビデオ）と音声データ（オーディオ）及び制御情報に分離される。
【００６４】
分離部１０１２が分離した映像データ（ビデオ）は、映像処理ブロック１０２１の映像デコーダ１０２２がデコードし、デジタル映像信号（ビデオ出力）として出力される。このとき、入力部１０１１が受けつける外部入力信号（コンテンツ）が、例えばビデオカメラからの映像及び音声である場合、分離部１０１２による分離が必要ない（スルーできる）場合もある。
【００６５】
映像デコーダ１０２２がデコードしたデジタル映像信号は、映像処理部１０２３により後段のディスプレイ１０２６が表示可能に所定の解像度及び出力方式に変換され、表示装置制御部１０２５においてＯＳＤ処理部１０２４からのＯＳＤ（On Screen Display、オンスクリーンディスプレイ）映像信号と合成され、ディスプレイ１０２６による好適な表示（映像再生）が可能な表示駆動信号に変換されて、ディスプレイ１０２６に供給される。表示装置制御部１０２５の出力は、例えば外部モニタ装置あるいは投影装置（プロジェクタ装置）等が接続可能な、出力端１０２７に出力されてもよい。
【００６６】
分離部１０１２が分離した音声（オーディオ）データは、音声処理ブロック１０３１の音声デコーダ１０３２がデコードする。音声デコーダ１０３２がデコードした音声データは、音声処理部１０３３が、後段のスピーカ１０３６による好適な再生が可能な所定の形式に変換し、Ｄ−Ａコンバータ１０３５が、アナログ音声出力信号に変換する。すなわち、Ｄ−Ａコンバータ１０３５にスピーカ１０３６を接続した場合、スピーカ１０３６は、可聴音（アナログ音声（オーディオ）出力）を出力する。Ｄ−Ａコンバータ１０３５の出力は、例えば、ＡＶ（Audio Visual、オーディオ・ビジュアル）アンプ等が接続可能な出力端１０３７に分岐してもよい。
【００６７】
テレビジョン装置１０１はまた、上述した入力部１０１１、分離部１０１２、映像処理ブロック１０２１及び音声処理ブロック１０３１、等の動作を制御する主制御ブロック１０５１を含む。主制御ブロック１０５１は、例えばＣＰＵ（主処理回路）１０５２、ＲＯＭ（読出専用メモリ）１０５３、ＲＡＭ（ランダムアクセスメモリ（ワークメモリ））１０５４、ＮＶＭ（不揮発性（書き換え可能）メモリ）１０５５、等を含む。主制御ブロック１０５１には、ユーザからの制御指示入力を受け付ける操作入力部１０５６、外部ネットワークからのさまざまな情報の取得及びインターネット網へのアクセス、等を制御するネットワーク制御部１０５７、例えばＨＤＭＩ（登録商標）（High-definition Digital Media Interface）規格に準拠する他の映像記録装置や映像再生装置との間の制御信号及び映像データと音声データの受け渡しが可能なＨＤＭＩ制御部１０５８、等が接続する。操作入力部１０５６は、ユーザによる直接操作やリモコン端末１０５９による指示（操作入力）を受け付け、対応するコマンドを主制御ブロック１０５１に出力する。
【００６８】
主制御ブロック１０５１は、ＣＰＵ１０５２において、操作入力部１０５６からの操作情報（制御入力）や受信部（リモコン信号受け付け部）が受信するリモコン端末１０５９からの操作情報（制御入力）に基づいて、各部要素、すなわち入力部１０１１、分離部１０１２、映像処理ブロック１０２１の映像デコーダ１０２２、ＯＳＤ処理部１０２４及び表示装置制御部１０２５、音声処理ブロック１０３１の音声デコーダ１０３２及び音声処理部１０３３、等を制御する。
【００６９】
また、主制御ブロック１０５１は、ネットワーク制御部１０５７を経由して入力する他の機器、あるいはネットワーク１（サービスサーバー１１）からの映像信号や音声信号等を、例えば一体に設けられた、もしくは外部に接続したＨＤＤ（Hard Disk Drive）に供給し、同ＨＤＤが保持する映像信号や音声信号等を、ネットワーク制御部１０５７を経由して、他の機器、あるいはサービスサーバー１１に、出力することが可能である。なお、ネットワーク制御部１０５７を経由して入力する他の機器からの映像信号や音声信号等は、ＨＤＤが保持することなく、ディスプレイ１０２６やスピーカ１０３６においてそのまま再生することも可能である。
【００７０】
また、主制御ブロック１０５１は、ＨＤＭＩ部１０５８を経由して入力する他の機器からの映像信号や音声信号等を、一体に設けられた、もしくは外部に接続したＨＤＤ（Hard Disk Drive）に供給し、同ＨＤＤが保持する映像信号や音声信号等を他の機器へＨＤＭＩ１０５８を経由して出力することが可能である。なお、ＨＤＭＩ部１０５８を経由して入力する他の機器からの映像信号や音声信号等は、ＨＤＤが保持することなく、ディスプレイ１０２６やスピーカ１０３６においてそのまま再生することも可能である。
【００７１】
主制御ブロック１０５１はまた、ＮＶＭ１０５５もしくはＲＯＭ１０５３が保持するプログラムまたはアプリケーションあるいはＣＰＵ１０５２のファームウェアにより、分離部１０１２が分離するＴＳから字幕情報（ニュース番組においてアンカー（アナウンサ）が発声した音声を字幕化した生字幕を含む）やＥＰＧ（電子番組表）情報を、取得できる。
【００７２】
以上の通り、再生を開始しようとしているユーザー（映像再生装置／テレビ装置）は、上述の「早見再生」／「ダイジェスト再生」に用いる情報をもとに、重要度の低いシーンをスキップして、あるいは予め指定した再生時間（倍速度）を実現するよう、再生が必要なシーン（区間）を特定して、番組を再生することができる。
【００７３】
従って、ユーザーは、ユーザーの時間的余裕に合わせて、番組（コンテンツ）の特定の区間を抽出して番組を再生できる（番組（コンテンツ）の再生時間を、一定の条件内で、圧縮することができる）。
【００７４】
すなわち、録画されている番組（コンテンツ）毎に、ネットワークに接続している他のユーザーが行った再生制御をサービスサーバーにおいて記録し、記録した再生制御の情報に基づいて、コンテンツ内で時間ごとの重要度を決定する。
【００７５】
対象機器（これから番組を再生しようとしているユーザーが保持するテレビ装置／映像再生装置）は、ユーザー（視聴者／操作者）からの早見再生／ダイジェスト再生の要求に対して、サービスサーバーから取得する重要度に基づき再生制御する。これにより、ユーザーの希望する番組本来の時間よりも短い再生時間の視聴要求からのダイジェスト再生を自動的に実施する。
【００７６】
なお、早見再生／ダイジェスト再生の要求であるユーザーの余裕時間（どの程度の時間で視聴したいか、という嗜好）に基づいて、番組本来の全時間から、早見再生／ダイジェスト再生において再生する区間（シーン）の抽出率を設定することができる。抽出率によって、どのくらいの重要度のシーンまで再生するかを設定できる。
【００７７】
また、ユーザーの年齢・性別・嗜好などの属性に基づいて、再生制御情報を収集することができ、早見再生／ダイジェスト再生のユーザーの属性に合わせて抽出方法を変更することができる。
【００７８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７９】
１…インターネット（ネットワーク）、１１…クラウドサーバー（サービスサーバー）、１０１…映像再生装置（第一の電子機器／ユーザー）、２０１，３０１，・・・，Ｎ０１…映像再生装置（第二の電子機器／他のユーザー）、１１９…ネットワークコントローラ（サービスサーバー）、１０５７…ネットワーク制御部（ユーザー）。
【図１】
2015126325.tif 000003
【図２Ａ】
2015126325.tif 000004
【図２Ｂ】
2015126325.tif 000005
【図３】
2015126325.tif 000006
【図４】
2015126325.tif 000007
【図５Ａ】
2015126325.tif 000008
【図５Ｂ】
2015126325.tif 000009
【図６】
2015126325.tif 000010
【図７】
2015126325.tif 000011
【図８】
2015126325.tif 000012
【図９】
2015126325.tif 000013